(57)【要約】【課題】従来、回線切替装置を手動で操作する必要があり手間や時間がかかっていた。また、回線切替装置はリレー部品、切替用スイッチなどの機構部品が多く使用され高価な装置である。【解決手段】主情報処理装置（ホスト）において、通信対象の通信機器（モデム等）のみ電源をオンとし、他の通信機器の電源をオフにした状態で通信機器の電源状態をチェックし、そのステータス情報を取得するステータス制御部１９と、ＤＶ／ＲＶを駆動制御する情報を設定するＤＶ／ＲＶ制御部１７を備え、主プロセッサはステータス制御部１９が取得した通信機器のステータス情報から有効回線を認識し、有効回線のＤＶ／ＲＶを駆動制御する情報をＤＶ／ＲＶ制御部１７に設定する機能を備えている。【選択図】  図１
2006033655.tif 000002
【特許請求の範囲】
【請求項１】
少なくとも、主プロセッサと、１回線分の回線制御ＬＳＩ及び複数回線に対する各回線毎のドライバ／レシーバを含む回線制御部を有する主情報処理装置と、該主情報処理装置に対しそれぞれ通信機器を介して接続され、少なくとも通信機能を有する複数の他装置を設け、該他装置の内、選択された何れか１台の他装置と前記主情報処理装置との間で通信を行うシステムの前記主情報処理装置において、
前記通信機器の内、通信対象の通信機器のみ電源をオンとし、他の通信機器の電源をオフにした状態で、前記通信機器の電源状態をチェックし、そのステータス情報を取得するステータス制御部と、
前記ドライバ／レシーバを駆動制御する情報を設定するドライバ／レシーバ制御部を備え、
前記主プロセッサは、前記ステータス制御部が取得した通信機器のステータス情報から有効回線を認識し、有効回線のドライバ／レシーバを駆動制御する情報を前記ドライバ／レシーバ制御部に設定する機能を備えていることを特徴とする主情報処理装置。
【請求項２】
少なくとも、各種制御や処理を行う主プロセッサと、１回線分の回線制御ＬＳＩ及び該回線制御ＬＳＩにより駆動され、複数の通信回線に対する各回線毎のドライバ／レシーバを含む回線制御部を有する主情報処理装置と、該主情報処理装置に対し、それぞれ通信機器を介して接続され、少なくとも通信機能を有する複数の他装置とを設け、該他装置の内、選択された何れか１台の他装置と前記主情報処理装置との間で通信を行うシステムの前記主情報処理装置において、
前記通信機器の内、通信対象の通信機器のみ電源をオンとし、他の通信機器の電源をオフにした状態で、前記通信機器の電源状態をチェックし、そのステータス情報を取得して内部の記憶手段に保持するステータス制御部と、
前記ドライバ／レシーバを駆動制御するための情報を設定する記憶手段を有するドライバ／レシーバ制御部を備えると共に、
前記主プロセッサは、前記ステータス制御部の記憶手段に保持している通信機器のステータス情報を読み出して有効回線を認識し、この認識結果に基づき前記ドライバ／レシーバを駆動制御するための情報を前記ドライバ／レシーバ制御部の記憶手段に設定する制御手段を備えていることを特徴とする主情報処理装置。
【請求項３】
プログラムを格納した不揮発性の記憶手段を備え、
前記主プロセッサは、前記不揮発性の記憶手段からプログラムを読み出して実行することにより、前記ステータス制御部の記憶手段に保持している通信機器のステータス情報を読み出して有効回線を認識し、この認識結果に基づき、前記ドライバ／レシーバを駆動制御するための情報をドライバ／レシーバ制御部の記憶手段に設定する機能を備えていることを特徴とする請求項１又は２記載の主情報処理装置。
【請求項４】
前記主情報処理装置は、競馬、競輪、競艇、オートレース等に利用可能なトータリゼータシステムのホスト装置であることを特徴とする請求項１乃至３のいずれかに記載の主情報処理装置。
【請求項５】
少なくとも、各種制御や処理を行う主プロセッサと、通信回線の制御を行うために全通信回線に共通な回線制御ＬＳＩ及び該回線制御ＬＳＩにより駆動され、複数の通信回線に対する各回線毎のドライバ／レシーバを含む回線制御部を有すると共に、通信機器の電源状態をチェックし、そのステータス情報を取得するステータス制御部と、前記ドライバ／レシーバを駆動制御する情報を設定するドライバ／レシーバ制御部を備えた主情報処理装置と、
該主情報処理装置に対し、それぞれ通信機器を介して接続され、少なくとも通信機能を有する複数の他装置とを設け、前記複数の他装置から選択されたいずれか１台の他装置と前記主情報処理装置との間で通信を行うシステムの前記主情報処理装置に、
前記ステータス制御部の記憶手段に保持している前記通信機器のステータス情報を読み出して有効回線を認識し、この認識結果に基づき、前記ドライバ／レシーバを駆動制御するための情報をドライバ／レシーバ制御部の記憶手段に設定する機能を実現させるためのプログラムを格納したコンピュータ読み出し可能な記録媒体。
【発明の詳細な説明】
【技術分野】
【０００１】
本発明は、例えば、競馬、競輪、競艇、オートレース等のトータリゼータシステムなどに利用可能な回線自動認識／切替制御機能を有する主情報処理装置及びプログラムに関する。
【背景技術】
【０００２】
(1) ：従来例１の説明
図６は従来例１のシステム構成例を示した図、図７は従来例１の一部詳細説明図である。以下、図６、７に基づいて従来例１を説明する。
【０００３】
(a) ：システム構成の説明
従来例１のシステムは、例えば、競馬、競輪、競艇、オートレース等のトータリゼータシステムの例である。図６に示したように、このシステムでは、センタ１と、複数のホスト計算機室２−１乃至２−Ｎと、複数の競馬場３−１乃至３−Ｐ等が設けてある。
【０００４】
そして、前記センタ１にはセンタコンピュータ１Ａが設けてあり、前記複数のホスト計算機室２−１乃至２−Ｎには、それぞれ、ホストコンピュータ又はホストコンピュータ装置（以下、単に「ホスト」と記す）４−１乃至４−Ｎと、それぞれ前記ホスト４−１乃至４−Ｎに接続された回線切替装置５−１乃至５−Ｎを備えている。また、前記複数の競馬場３−１乃至３−Ｐには、それぞれ、トータリゼータ通信処理装置６−１乃至６−Ｐと、前記トータリゼータ通信処理装置６−１乃至６−Ｐに接続された複数の端末７−１乃至７−Ｑ等を備えている。
【０００５】
そして、前記センタコンピュータ１Ａとホスト４−１乃至４−Ｎを通信回線で接続し、前記回線切替装置５−１乃至５−Ｎと、複数の競馬場３−１乃至３−Ｐとをそれぞれ通信回線で接続してある。
【０００６】
(b) ：前記システムの動作の説明
前記システムにおいて、センタ１のセンタコンピュータ１Ａからホスト計算機室２のホスト４を介して各競馬場３のトータリゼータ通信処理装置６へ情報を送ったり、或いは前記各トータリゼータ通信処理装置６からホスト計算機室２のホスト４を介してセンタコンピュータ１Ａへ情報を送ったりする。この場合、ホスト計算機室２の回線切替装置５を保守員等（保守員又は係員）が手動により切り替えてから通信を開始することが必要であった。
【０００７】
例えば、センタコンピュータ１Ａと競馬場３−１のトータリゼータ通信処理装置６−１との間で、ホスト計算機室２−１のホスト４−１を介して通信を行う場合には、ホスト計算機室２−１の回線切替装置５−１を保守員等が手動により切り替えて、ホスト計算機室２−１のホスト４−１と、競馬場３−１のトータリゼータ通信処理装置６−１とを通信回線で接続した後、通信を開始する。そして、センタコンピュータ１Ａと競馬場３−１のトータリゼータ通信処理装置６−１との間で、ホスト計算機室２−１のホスト４−１を介して通信を行うことが可能になる。
【０００８】
また、センタコンピュータ１Ａと競馬場３−Ｐのトータリゼータ通信処理装置６−Ｐとの間でホスト計算機室２−１のホスト４−１を介して通信を行う場合には、ホスト計算機室２−１の回線切替装置５−１を保守員等が手動により切り替えて、ホスト計算機室２−１のホスト４−１と、前記競馬場３−Ｐのトータリゼータ通信処理装置６−Ｐとを通信回線で接続した後、通信を開始する。そして、センタコンピュータ１Ａと競馬場３−Ｐのトータリゼータ通信処理装置６−Ｐとの間で、ホスト計算機室２−１のホスト４−１を介して通信を行うことが可能になる。
【０００９】
なお、前記のように、回線切り替えを行うのは、通信を行う日毎に、通信相手を替える必要がある（例えば、競馬の開催日等により通信相手を替えることが必要である）ためであり、その都度、保守員等が手動で回線切替装置５の切り替えを行っていた。
【００１０】
(c) ：一部構成の詳細な説明
前記ホスト計算機室２のホスト４と回線切替装置５は図７のように構成されている。すなわち、ホスト計算機室２のホスト４には、ＣＰＵ１１と、回線制御部１２が設けてある。また、前記回線制御部１２には、回線制御ＬＳＩ１３と、ドライバ／レシーバ（以下、「ＤＶ／ＲＶ」と記す）１４が設けてある。
【００１１】
また、回線切替装置５には、手動回線切替スイッチ８が設けてあり、この手動回線切替スイッチ８を保守員等が手動で切り替えていた。また、この手動回線切替スイッチ８の出力側には、モデムＭを介して他の装置Ｂ、Ｃ、Ｄ等が接続されている。この場合の前記他の装置Ｂ、Ｃ、Ｄ等は、例えば、前記各競馬場３のトータリゼータ通信処理装置６等である。また、前記モデムＭは、回線切替装置５側のモデムＭと、他の装置Ｂ、Ｃ、Ｄ側のモデムＭが通信回線を介して接続されている。
【００１２】
また、前記ＣＰＵ１１は内部に記憶されているプログラム（図示省略）を読み出して実行することで、各種の通信制御を行う。そして、ＣＰＵ１１の指示により回線制御ＬＳＩ１３を制御し、その結果、ＤＶ／ＲＶ１４を駆動して、回線切替装置５により切り替えられたいずれかの装置（装置Ｂ乃至Ｄのいずれか）と通信を行うことが可能になる。
【００１３】
前記構成において、回線切替装置５は手動回線切替スイッチ８を備えているが、この手動回線切替スイッチ８は、例えば、電磁リレーや機械的な切り替え用のスイッチなど、機構部品も多く使用されていた。また、前記電磁リレー等を駆動するための電源ユニット、筐体なども備えていた。
【００１４】
(2) ：従来例２の説明
図８は従来例２の説明図である。以下、図８に基づいて従来例２を説明する。
【００１５】
この例は、各通信回線毎に回線制御部（回線制御ＬＳＩを含む）を持つ装置の例である。すなわち、図８のように、外部の複数のシステムと通信回線で接続する為に、各システム接続用の回線毎に回線制御部（回線制御ＬＳＩを含む）＃０、＃１、＃２を持っている。図８では、装置Ａの回線制御部＃１により、装置Ａと装置Ｃが接続されている例を図示してある。
【００１６】
(3) ：従来例３の説明
以下、特許文献１を従来例３として説明する。従来例３には次のようなことが記載されている。
【００１７】
(a) ：「コンピュータ等の外部情報処理装置と、ファクシミリ装置とを回線に対してインターフェイスを介して並列接続してなるファクシミリ装置システムであって、ファクシミリ装置には、外部情報処理装置の電源のＯＮ／ＯＦＦを検知する検知手段と、外部情報処理装置の電源ＯＮを検知したときには、ファクシミリ装置の電源ＯＮ／ＯＦＦに拘らず回線を外部情報処理装置に接続し、外部情報処理装置の電源ＯＦＦのときには、ファクシミリ装置側に回線を接続する制御手段を備えたものである。
【００１８】
従って、ファクシミリ装置の電源とコンピュータ等の外部情報処理装置の電源との両者のＯＮ・ＯＦＦの状態を判別するのみで、どちらの記憶手段に受信したデータが蓄積するかを選択できる。そして、外部情報処理装置の電源ＯＮを検知したときには、優先して当該外部情報処理装置側の記憶手段に受信したデータを蓄積可能であるから、パソコン等の外部情報処理装置側の記憶手段を、あたかも、ファクシミリ装置側の記憶手段の如くに利用してデータを蓄積することができ、ファクシミリ装置の有する諸機能を充分に発揮させ、コンピュータとファクシミリ装置とを接続したシステムの機能も充分に発揮でき、且つシステムの使用勝手が向上するという効果を奏する。」・・・段落番号［００３５］〜［００３６］参照
(4) ：従来例４の説明
以下、特許文献２を従来例４として説明する。
【００１９】
従来例４は、情報電源管理装置に関するものであり、次のようなことが記載されている。
【００２０】
(a) ：「バスへ影響を与える異常を持つユニットを検知した場合に、その端末の電源を供給元から制限することによりシステム全体へ影響を与えることを防止できる情報電源管理装置を提供することにある。」・・・段落番号［０００９］参照
(b) ：「自動車内の所定の共通信号路に複数の端末が接続された車載ネットワークにおいて、前記各端末の電源管理を行う情報電源管理装置であって、前記各端末への電源の供給をオンオフ制御する電源制御部と、各端末の通信不能を個別に検出するようにされた情報通信管理部とを備え、前記情報通信管理部は、通信不能が検出された端末について個別に電源供給を停止するように前記電源制御部に指示するようにされたものである。」・・・段落番号［００１０］参照
(5) ：従来例５の説明
以下、特許文献３を従来例５として説明する。
【００２１】
従来例５は、データ転送装置のインターフェース切替方法及びその装置に関するものであり、次のようなことが記載されている。
【００２２】
(a) ：「信号線を介して周辺機器が接続された際の信号線の状態変化を検出し、前記検出された状態変化に応じて、前記周辺機器のインターフェースの種別を判定し、前記判定結果に応じて、自装置のインターフェースを切り替え、その後に前記インターフェースを用いて前記周辺機器とデータ転送を行うので、接続相手である周辺機器の種類及びインターフェースの切り替え設定を自動的に行い、周辺機器との接続を容易に行うことができる。」・・・段落番号［００３７］参照
【特許文献１】特開平９−１３９７９３号公報
【特許文献２】特開２００１−２５７６９４号公報
【特許文献３】特開平８−２８８９７９号公報
【発明の開示】
【発明が解決しようとする課題】
【００２３】
前記従来例では次のような課題がある。
【００２４】
(1) ：前記従来例１では、次のような課題がある。
【００２５】
(a) ：通信回線の切り替えを行う場合、回線切替装置を手動で操作する必要があり、回線切替に手間がかかり、かつ余分な時間がかかっていた。
【００２６】
(b) ：通信回線の切り替えを行うための回線切替装置は、リレー部品（例えば、電磁リレー等の部品）、切替用スイッチ、電源ユニット、筐体、その他の機構部品等が多く使用されており、高価な装置である。
【００２７】
(2) ：前記従来例２では、外部の複数のシステムと通信回線で接続する為に、各システム接続用の回線毎に回線制御部（回線制御ＬＳＩを含む）を持っている。そのため、各回線毎に回線制御部を持つ必要があり、装置（装置Ａ）の機器コストが高くなる。
【００２８】
本発明は、これらに鑑みてなされたものであり、従来用いられてきた回線切替装置の機能を、既存の主情報処理装置内で既存のプロセッサを利用し、かつ、新規にプログラムや電子部品等の安価なものだけを追加するのみで実現させることにより、従来用いられていた手動の回線切替装置を無くし、回線切替を自動化して人手による手間や操作時間を無くし、装置のコストダウンを実現することを目的とする。
【課題を解決するための手段】
【００２９】
(1) ：少なくとも、主プロセッサ（例えば、主ＣＰＵ）と、１回線分の回線制御ＬＳＩ及び複数回線に対する各回線毎のドライバ／レシーバ（ＤＶ／ＲＶ）を含む回線制御部を有する主情報処理装置（例えば、ホスト）と、該主情報処理装置に対しそれぞれ通信機器を介して接続され、少なくとも通信機能を有する複数の他装置（例えば、トータリゼータ通信処理装置）とを設け、該他装置の内、選択された何れか１台の他装置と前記主情報処理装置との間で通信を行うシステムの前記主情報処理装置において、前記通信機器の内、通信対象の通信機器のみ電源をオンとし、他の通信機器の電源をオフにした状態で、前記通信機器の電源状態をチェックし、そのステータス情報を取得するステータス制御部と、前記ドライバ／レシーバを駆動制御する情報を設定するドライバ／レシーバ制御部を備え、前記主プロセッサは、前記ステータス制御部が取得した通信機器のステータス情報から有効回線を認識し、有効回線のドライバ／レシーバを駆動制御する情報を前記ドライバ／レシーバ制御部に設定する機能を備えていることを特徴とする。
【００３０】
(2) ：少なくとも、各種制御や処理を行う主プロセッサと、１回線分の回線制御ＬＳＩ及び該回線制御ＬＳＩにより駆動され、複数の通信回線に対する各回線毎のドライバ／レシーバを含む回線制御部を有する主情報処理装置と、該主情報処理装置に対し、それぞれ通信機器を介して接続され、少なくとも通信機能を有する複数の他装置とを設け、該他装置の内、選択された何れか１台の他装置と前記主情報処理装置との間で通信を行うシステムの前記主情報処理装置において、前記通信機器の内、通信対象の通信機器のみ電源をオンとし、他の通信機器の電源をオフにした状態で、前記通信機器の電源状態をチェックし、そのステータス情報を取得して内部の記憶手段に保持するステータス制御部と、前記ドライバ／レシーバを駆動制御するための情報を設定する記憶手段を有するドライバ／レシーバ制御部を備えると共に、前記主プロセッサは、前記ステータス制御部の記憶手段に保持している通信機器のステータス情報を読み出して有効回線を認識し、この認識結果に基づき前記ドライバ／レシーバを駆動制御するための情報を前記ドライバ／レシーバ制御部の記憶手段に設定する制御手段を備えていることを特徴とする。
【００３１】
(3) ：前記(1) 又は(2) の主情報処理装置において、プログラムを格納した不揮発性の記憶手段を備え、前記主プロセッサは、前記不揮発性の記憶手段からプログラムを読み出して実行することにより、前記ステータス制御部の記憶手段に保持している通信機器のステータス情報を読み出して有効回線を認識し、この認識結果に基づき、前記ドライバ／レシーバを駆動制御するための情報をドライバ／レシーバ制御部の記憶手段に設定する機能を備えていることを特徴とする。
【００３２】
(4) ：前記(1) 乃至(3) のいずれかの主情報処理装置において、前記主情報処理装置は、競馬、競輪、競艇、オートレース等に利用可能なトータリゼータシステムのホスト装置であることを特徴とする。
【００３３】
（作用）
図１は本発明の原理説明図である。以下、図１を参照しながら本発明の作用を説明する。
【００３４】
保守者等は、接続したい回線用の通信機器（例えば、モデム）のみを電源オン（ＯＮ）状態にし、その他の通信機器は電源オフ（ＯＦＦ）状態のままとする。この状態において、ステータス制御部１９は通信機器（例えば、モデム）の電源状態をチェックし、そのステータス情報を取得して内部の記憶手段に保持する。
【００３５】
次に、主プロセッサ（例えば、ＣＰＵ１１）は、プログラムメモリ１６Ａからプログラムを読み出して実行することにより、ステータス制御部１９の記憶手段に保持している通信機器（例えば、モデム）のステータス情報（通信機器の電源がオンか否か等の情報）を読み出して有効回線を認識する処理を行う。
【００３６】
そして、主プロセッサは前記プログラムの実行により、前記認識結果に基づきドライバ／レシーバ（ＤＶ／ＲＶ＃０〜＃Ｎのいずれか）を駆動制御するための情報をドライバ／レシーバ制御部（ＤＶ／ＲＶ制御部１７）の記憶手段に設定する。その後、主情報処理装置と前記切り替えられた回線を介して該当する他装置と通信を行うことができる。
【００３７】
このようにすれば、主情報処理装置において、通信回線の状態を自動認識し、その認識結果に基づいて、通信回線の切替制御を自動的に行うことができる。
【発明の効果】
【００３８】
従来用いられてきた回線切替装置の機能を、既存の主情報処理装置内で既存のプロセッサを利用し、かつ、新規にプログラムや電子部品等の安価なものだけを追加するのみで実現させることができる。そのため、従来用いられていた手動の回線切替装置を無くし、回線切替を自動化して保守員等の手間や操作時間を無くし、装置のコストダウンを実現することが可能である。
【発明を実施するための最良の形態】
【００３９】
以下、図面に基づいて、本発明を実施するための最良の形態を具体的に説明する。なお、図６のシステム構成は本発明でも同じであり、図６の同符号で示したものは同じものを示す。
【００４０】
§１：システムの説明
(1) ：システム全体の説明
図２はホストの構成図である。図２に示したホスト（ホストコンピュータ又はホストコンピュータ装置）４は、前記従来例１で説明したトータリゼータシステムにおけるホスト計算機室のホスト４と同じ例である。従って、図２に示した他装置は、前記従来例１の競馬場３内のトータリゼータ通信処理装置６と同じ例である。なお、以下の例では、モデム及び他装置が＃０乃至＃７の８台で構成された例について説明する。
【００４１】
図２に示したように、ホスト計算機室のホスト４には全体の制御や処理等を行うＣＰＵ１１（既存のＣＰＵ）と、プログラム（本発明で使用する処理用のプログラム）を格納したＲＯＭ１６（不揮発性メモリ）と、回線制御部１２等が設けてある。なお、このホスト４内には、図示省略した他の機能部等（従来、ホストの機能に備わっていた各種機能を実現するための手段やプログラム等）が設けてある。
【００４２】
また、回線制御部１２には１回線分の回線制御ＬＳＩ１３と、該回線制御ＬＳＩ１３により駆動され、複数の通信回線に対する各回線毎のドライバ／レシーバ（以下、「ＤＶ／ＲＶ」と記す）＃０乃至＃７を含む回線制御部１２と、前記ＤＶ／ＲＶ＃０乃至＃７を駆動制御するためのＤＶ／ＲＶ制御部１７と、該ＤＶ／ＲＶ制御部１７内に設けたレジスタ１８と、ステータス制御部１９と、ステータス制御部１９内に設けたレジスタ２１と、通信機器用ＤＶ／ＲＶ２０、通信回線を外部へ引き出すための複数のコネクタ０〜７等が設けてある。そして、前記複数のコネクタ０〜７から引き出された通信回線は、それぞれ、モデム＃０〜＃７を介して他装置＃０〜＃７へ接続されている。
【００４３】
(2) ：前記システムの一部詳細な説明
図３は図２の一部詳細説明図である。図３に示したように、図２に示したホスト４内のＣＰＵ１１にはデータバスやシステムバス等が接続され、このデータバスやシステムバス等には、プログラムを格納したＲＯＭ１６（プログラムメモリ）、ＤＶ／ＲＶ制御部１７のレジスタ１８、ステータス制御部１９のレジスタ２１等が接続されている。
【００４４】
また、前記レジスタ１８には、ＤＶ／ＲＶ＃０〜ＤＶ／ＲＶ＃７へそれぞれ信号線が接続されている。また、前記レジスタ２１には、回線＃０状態信号〜回線＃７状態信号がそれぞれの信号線（モデムを介して他装置へ接続されている）を介して入力している。
【００４５】
このような構成において、ＣＰＵ１１はＲＯＭ１６に対してデータリード信号を送り、ＲＯＭ１６のプログラムを読み込み、このプログラムを実行することで、各種処理や制御等を行う。また、ＣＰＵ１１は、ステータス制御部１９のレジスタ２１に対してデータリード信号を送り、このレジスタ２１のデータを読み込む。その結果、ＣＰＵ１１は、ＤＶ／ＲＶ制御部１７のレジスタ１８へデータライト信号を送り、このレジスタ１８にＤＶ／ＲＶを駆動制御するための制御用のデータを書き込む。
【００４６】
(3) ：全体の制御手順の説明
以下、図２、図３を参照しながら詳細な制御手順について説明する。
【００４７】
(a) ：保守者等（保守者又は係員）は、接続したい回線用の通信機器（例えば、モデム＃１）のみを電源オン（ＯＮ）状態にし、その他の通信機器（この例では、モデム＃１を除く他の全てのモデム）は電源オフ（ＯＦＦ）状態のままとする。
【００４８】
(b) ：ホスト４の回線制御部１２及びＣＰＵ１１において、どの通信機器（この例では、モデム１）が電源オンであるかを判断する。この場合の電源状態は次のようにして判断する。
【００４９】
（電源状態の判断方法）
Ａ：ＣＰＵ１１は、ＤＶ／ＲＶ制御部１７のレジスタ１８に、全ての通信機器（モデム＃０乃至＃７）のＤＶ／ＲＶ＃０〜＃７が有効になるようにデータを書き込む。なお、図示の例では、ＤＶ／ＲＶは＃０〜＃７まで８台あるので、ＣＰＵ１１は、ＤＶ／ＲＶ制御部１７のレジスタ１８にデータ「０ＸＦＦ」をライトする。
【００５０】
このようにすると、その出力信号が各ＤＶ／ＲＶのイネーブル／ディセーブル端子に入力されイネーブル状態になる。このように、ＤＶ／ＲＶ制御部１７から全ＤＶ／ＲＶをイネーブル化すると、通信機器（モデム）からステータス情報が読み取れる状態になる。
【００５１】
Ｂ：次に、ＣＰＵ１１の指示により、ステータス制御部１９は有効な通信機器（モデム）番号をリードし、そのステータス情報（状態情報）をレジスタ２１に格納する。実際には、前記通信機器（モデム）がＶ．２４モデムの場合は、ＤＲ信号が、Ｘ．２１用のターミナルアダプタではＩ信号が入力され、ステータス制御部１９がリードすることで、ＣＰＵ１１が有効な通信機器（モデム）を判断する。
【００５２】
例えば、＃０の通信機器（モデム）が有効な場合は、０Ｘ０１、＃１は０Ｘ０２、＃２は０Ｘ０４、＃３は０Ｘ０８、・・・＃７は０Ｘ８０がそれぞれリードされ、その情報がレジスタ２１に格納される。その後、ＣＰＵ１１がレジスタ２１の情報をリードして有効な通信機器（モデム）を判断する。
【００５３】
(c) ：前記「電源状態の判断方法」のＡ、Ｂで得た通信機器（モデム）番号のＤＶ／ＲＶのみを有効にするために、ＤＶ／ＲＶ制御部１７のレジスタ１８に相当データ（ＤＶ／ＲＶを駆動制御するためのデータ）をＣＰＵ１１からライトする。例えば、ＤＶ／ＲＶ＃０が有効な場合は０Ｘ０１、＃１は０Ｘ０２、＃２は０Ｘ０４、＃３は０Ｘ０８、・・・＃７は０Ｘ８０が前記相当データである。
【００５４】
(d) ：前記(a) 、(b) 、(c) で有効な電源オンの通信機器（モデム）を制御するＤＶ／ＲＶのみが有効になる。
【００５５】
(e) ：複数の通信先、すなわち、この例では、通信機器（モデム＃０〜＃７）に対して１つの回線制御部（この例では、回線制御ＬＳＩ回線にシリアルデータを送信したり受信したりする部分）で、先に行った有効通信機器（モデム）とのみ通信を行うことができる。
【００５６】
図示のように、回線制御ＬＳＩは＃０〜＃７の通信機器（モデム）用のＤＶ／ＲＶと繋がっているが、有効になっていないＤＶ／ＲＶの出力はハイインピーダンスとなるため、実際の通信に悪影響を及ぼすことはない。
【００５７】
§２：前記ホスト機能の説明
図４は図２の機能等の説明図である。以下、図４に基づき、更に前記ホストの機能を説明する。
【００５８】
図２に示したホスト４を含むシステム（従来例１で説明したホスト計算機室内のシステム）は、機能的に図示すると図４のようになる。この場合、図４のシステムＡは、図２のホスト４とホスト側のモデム＃０〜＃７を含めたものであり、図４の装置Ａは図２のホスト４に対応する。
【００５９】
また、図４の有効回線自動認識部は、図２の通信機器用ＤＶ／ＲＶ２０と、レジスタ２１を含むステータス制御部１９と、ＣＰＵ１１と、ＲＯＭ１６等に対応している。また、図４の回線制御手段は、図２の回線制御ＬＳＩ１３と、レジスタ１８を含むＤＶ／ＲＶ制御部１７と、ＣＰＵ１１等が対応する。なお、図４のＭはモデムであり、図４の例では、＃０、＃１、＃２の３台のモデムを使用した例である。また、図４のシステムＢ、Ｃ、Ｄは、図２の他装置と、他装置側のモデムに対応する。
【００６０】
以上のシステムにおいて、装置Ａに有効回線自動認識機能を持たせる。そして、例えば、装置Ａを装置Ｃと接続するため、装置Ｃと接続するためのモデム（例えば、Ｍ＃１）のみ電源をオン（ＯＮ）にする。（なお、同様に、装置Ｂと接続する場合は、モデム（Ｍ＃０）のみ電源をオンにする）
この状態で装置Ａを立ち上げる。有効回線自動認識部により、装置Ｃに通じる回線が接続対象と認識し、以降、装置Ｃと通信を行う。
【００６１】
§３：ホストの処理の説明
図５はＣＰＵの処理フローチャートである。以下、図５に基づいて前記ＣＰＵ１１の処理を説明する。なお、図５において以下に説明する処理は、ＣＰＵ１１がＲＯＭ内のプログラムを読み出して実行することにより実現する処理であり（以下の説明では、全てＣＰＵの処理として説明する）、Ｓ１〜Ｓ８は各処理ステップを示す。
【００６２】
先ず、ＣＰＵ１１は、全部のＤＶ／ＲＶをグループ化する（Ｓ１）。次に、ＣＰＵ１１は、モデムステータスチェック用のレジスタ２１のデータをリードする（Ｓ２）。そして、ＣＰＵ１１は、回線＃０のモデム＃０の制御信号はＯＮか否か（電源がオンか否か）を判断する（Ｓ３）。その結果、回線＃０のモデムの制御信号がＯＮでなければ、ＣＰＵ１１は、回線＃１のモデムの制御信号はＯＮか否か（電源がオンか否か）を判断する（Ｓ４）。その結果、回線＃１のモデムの制御信号はＯＮでなければ、ＣＰＵ１１は、回線＃２のモデムの制御信号はＯＮか否か（電源がオンか否か）を判断し（Ｓ５）、Ｓ２の処理へ移行する。
【００６３】
また、前記Ｓ３の処理で、回線＃０のモデムの制御信号がＯＮであると判断したら、ＤＶ／ＲＶ制御部１７により、回線０のＤＶ／ＲＶのみをイネーブルにして回線選択を完了する（Ｓ８）。また、前記Ｓ４の処理で、回線＃１のモデムの制御信号がＯＮであると判断したら、ＤＶ／ＲＶ制御部１７により、回線１のＤＶ／ＲＶのみをイネーブルにして回線選択を完了する（Ｓ７）。また、前記Ｓ５の処理で、回線＃２のモデムの制御信号がＯＮであると判断したら、ＤＶ／ＲＶ制御部１７により、回線２のＤＶ／ＲＶのみをイネーブルにして回線選択を完了する（Ｓ６）。
【００６４】
§４：その他の説明
(1) ：前記の例では、通信回線に接続された通信機器をモデム（Ｍ）の例で説明したが、本発明はこのような例に限らず、通信回線や接続機器の種類により、ＴＡ（ターミナルアダプタ）やＤＳＵ（Digital Service Unit）を使用する場合がある。これらいずれの通信機器でも同様に実施可能である。
【００６５】
(2) ：前記システムはトータリゼータシステムに限らず、他の同様なシステムにも適用可能である。
【００６６】
（付記）
前記の説明に対して、次のような構成を付記する。
【００６７】
（付記１）        
少なくとも、主プロセッサと、１回線分の回線制御ＬＳＩ及び複数回線に対する各回線毎のドライバ／レシーバを含む回線制御部を有する主情報処理装置と、該主情報処理装置に対しそれぞれ通信機器を介して接続され、少なくとも通信機能を有する複数の他装置とを設け、該他装置の内、選択された何れか１台の他装置と前記主情報処理装置との間で通信を行うシステムの前記主情報処理装置において、
前記通信機器の内、通信対象の通信機器のみ電源をオンとし、他の通信機器の電源をオフにした状態で、前記通信機器の電源状態をチェックし、そのステータス情報を取得するステータス制御部と、
前記ドライバ／レシーバを駆動制御する情報を設定するドライバ／レシーバ制御部を備え、
前記主プロセッサは、前記ステータス制御部が取得した通信機器のステータス情報から有効回線を認識し、有効回線のドライバ／レシーバを駆動制御する情報を前記ドライバ／レシーバ制御部に設定する機能を備えていることを特徴とする主情報処理装置。
【００６８】
（付記２）            
少なくとも、各種制御や処理を行う主プロセッサと、１回線分の回線制御ＬＳＩ及び該回線制御ＬＳＩにより駆動され、複数の通信回線に対する各回線毎のドライバ／レシーバを含む回線制御部を有する主情報処理装置と、該主情報処理装置に対し、それぞれ通信機器を介して接続され、少なくとも通信機能を有する複数の他装置とを設け、該他装置の内、選択された何れか１台の他装置と前記主情報処理装置との間で通信を行うシステムの前記主情報処理装置において、
前記通信機器の内、通信対象の通信機器のみ電源をオンとし、他の通信機器の電源をオフにした状態で、前記通信機器の電源状態をチェックし、そのステータス情報を取得して内部の記憶手段に保持するステータス制御部と、
前記ドライバ／レシーバを駆動制御するための情報を設定する記憶手段を有するドライバ／レシーバ制御部を備えると共に、
前記主プロセッサは、前記ステータス制御部の記憶手段に保持している通信機器のステータス情報を読み出して有効回線を認識し、この認識結果に基づき前記ドライバ／レシーバを駆動制御するための情報を前記ドライバ／レシーバ制御部の記憶手段に設定する制御手段を備えていることを特徴とする主情報処理装置。
【００６９】
（付記３）          
プログラムを格納した不揮発性の記憶手段を備え、
前記主プロセッサは、前記不揮発性の記憶手段からプログラムを読み出して実行することにより、前記ステータス制御部の記憶手段に保持している通信機器のステータス情報を読み出して有効回線を認識し、この認識結果に基づき、前記ドライバ／レシーバを駆動制御するための情報をドライバ／レシーバ制御部の記憶手段に設定する機能を備えていることを特徴とする（付記１）又は（付記２）記載の主情報処理装置。
【００７０】
（付記４）          
前記主情報処理装置は、競馬、競輪、競艇、オートレース等に利用可能なトータリゼータシステムのホスト装置であることを特徴とする（付記１）乃至（付記３）のいずれかに記載の主情報処理装置。
【００７１】
（付記５）          
少なくとも、各種制御や処理を行う主プロセッサと、通信回線の制御を行うために全通信回線に共通な回線制御ＬＳＩ及び該回線制御ＬＳＩにより駆動され、複数の通信回線に対する各回線毎のドライバ／レシーバを含む回線制御部を有すると共に、通信機器の電源状態をチェックし、そのステータス情報を取得するステータス制御部と、前記ドライバ／レシーバを駆動制御する情報を設定するドライバ／レシーバ制御部を備えた主情報処理装置と、
該主情報処理装置に対し、それぞれ通信機器を介して接続され、少なくとも通信機能を有する複数の他装置とを設け、前記複数の他装置から選択されたいずれか１台の他装置と前記主情報処理装置との間で通信を行うシステムの前記主情報処理装置に、
前記ステータス制御部の記憶手段に保持している前記通信機器のステータス情報を読み出して有効回線を認識し、この認識結果に基づき、前記ドライバ／レシーバを駆動制御するための情報をドライバ／レシーバ制御部の記憶手段に設定する機能を実現させるためのプログラム。
【００７２】
（付記６）
少なくとも、各種制御や処理を行う主プロセッサと、通信回線の制御を行うために全通信回線に共通な回線制御ＬＳＩ及び該回線制御ＬＳＩにより駆動され、複数の通信回線に対する各回線毎のドライバ／レシーバを含む回線制御部を有すると共に、通信機器の電源状態をチェックし、そのステータス情報を取得するステータス制御部と、前記ドライバ／レシーバを駆動制御する情報を設定するドライバ／レシーバ制御部を備えた主情報処理装置と、
該主情報処理装置に対し、それぞれ通信機器を介して接続され、少なくとも通信機能を有する複数の他装置とを設け、前記複数の他装置から選択されたいずれか１台の他装置と前記主情報処理装置との間で通信を行うシステムの前記主情報処理装置に、
前記ステータス制御部の記憶手段に保持している前記通信機器のステータス情報を読み出して有効回線を認識し、この認識結果に基づき、前記ドライバ／レシーバを駆動制御するための情報をドライバ／レシーバ制御部の記憶手段に設定する機能を実現させるためのプログラムを格納したコンピュータ読み出し可能な記録媒体。
【図面の簡単な説明】
【００７３】
【図１】本発明の原理説明図である。
【図２】実施の形態におけるホストの構成図である。
【図３】実施の形態における図２の一部詳細説明図である。
【図４】実施の形態における図２の機能等の説明図である。
【図５】実施の形態におけるＣＰＵの処理フローチャートである。
【図６】従来例１のシステム構成例である。
【図７】従来例１の一部詳細説明図である。
【図８】従来例２の説明図である。
【符号の説明】
【００７４】
１  センタ
１Ａ  センタコンピュータ
２  ホスト計算機室
３  競馬場
４  ホスト（ホストコンピュータ）
５  回線切替装置
６  トータリゼータ通信処理装置
１１  ＣＰＵ（中央演算処理装置）
１２  回線制御部
１３  回線制御ＬＳＩ
１４  ＤＶ／ＲＶ（ドライバ／レシーバ）
Ｍ  モデム
１６  ＲＯＭ（リードオンリメモリ）
１７  ＤＶ／ＲＶ制御部（ドライバ／レシーバ制御部）
１９  ステータス制御部
１８  レジスタ
２１  レジスタ
【図１】
2006033655.tif 000003
【図２】
2006033655.tif 000004
【図３】
2006033655.tif 000005
【図４】
2006033655.tif 000006
【図５】
2006033655.tif 000007
【図６】
2006033655.tif 000008
【図７】
2006033655.tif 000009
【図８】
2006033655.tif 000010